(57)【要約】      （修正有）【課題】大災害時等の長時間停電時、防災告知放送受信機の電池が消耗状態で使用出来なくなった時、自己発電で動作する防災告知放送受信機を提供する。【解決手段】防災告知放送受信機に、マグネシウム−空気電池と水容器一体の電池パック１０を内蔵し、電池が放電状態でも水容器１２に穴を空けマグネシウム−空気電池発電素子１１に水を供給する事で自己発電を行いラジオに電源を供給し情報を得られるようにした。【選択図】図２
0003206520.tif 000002
【実用新案登録請求の範囲】
【請求項１】
防災告知放送受信機の筐体内に、マグネシウム−空気電池発電素子と、１個以上の柔らかな材質でできた水入り容器を一体化した電池パックと、一次電池又は、二次電池のいずれかを内蔵し、災害時などの停電で、一次電池又は、二次電池が放電状態で受信機が非動作となった時、電池パックのマグネシウム−空気電池発電素子に水入り容器の水を供給する事で発電を開始し、この電力で動作する防災告知放送受信機。
【請求項２】
二次電池を内蔵した受信機でマグネシウム−空気電池パックで発電した電力で内蔵した二次電池に充電する機能を有する請求項１に記載の防災告知放送受信機
【請求項３】
ＵＳＢ端子を有し、マグネシウム−空気電池パックで発電した電力又は二次電池内蔵の受信機で二次電池に充電された電力でスマートフォンや携帯電話の充電も可能にした請求項１又は２に記載の防災告知放送受信機。
【考案の詳細な説明】
【技術分野】
【０００１】防災告知放送受信機に関する。
防災告知放送受信機とは、コミュニティーＦＭ放送受信ラジオ、や、公共防災無線、ケーブルテレビ放送事業者が行う災害緊急放送や、災害情報、地区放送などを受信する受信機を言う。
【背景技術】
【０００２】従来の防災告知放送受機の電源は一次電池や二次電池又は、商用電源などで動作するが、停電時では一次電池、又は二次電池で動作する。
未曾有の災害などでは、停電によりテレビ等での情報を得ることが出来なくなり防災告知放送受信機が唯一の情報を得る機器となる。
長時間の停電では内蔵している電池が消耗し、動作しなくなり情報も得られなく、特に被災地では生活にも支障を生じる場合がある。【０００３】この様な未曾有の災害などでは長時間、電池の入手も困難で必要な情報も得られなくなり、生活に多大な支障を与える
【考案の概要】
【考案が解決しようとする課題】
【０００４】一般に普及している防災告知放送受信機（以下ラジオと称す）の電源は、非停電時は商用電源で動作し、停電時は内蔵されている一次電池や二次電池で動作する。二次電池内蔵のラジオでは商用電源で常に充電し停電時に使用出来るように設計されている。【０００５】２０１１年３月１１日の大災害では長時間の停電と、市場における電池不足で特に被災地での防災告知放送も受信できず、水や食料調達などの情報を得ることが出来ず、生活にも支障が起きた。
【課題を解決するための手段】
【０００６】ラジオ本体に、マグネシウム−空気電池と水パックを一体化した電池パックを内蔵し一次電池、二次電池などの電力の消耗で使用出来なくなった時マグネシウム−空気電池パック内の水をマグネシウム−空気電池発電素子に与える事で自己発電を開始する。
発電は、柔らかい材質でできた水入りの容器、水パックとマグネシウム−空気電池発電素子を一体化した容器に収容し、容器の上部には突起棒で水容器を破壊する為の穴が開いている。
突起棒で破壊した水容器の水がマグネシウム−空気電池発電素子に供給する事で発電が開始される。
この発電電力を使用しラジオを動作し必要な情報を得ることが出来る。【０００７】マグネシウム−空気電池セルは水が蒸発し発電能力が低下すると再度水を供給する事により自己発電を再開する特徴がある。マグネシウムが完全に酸化した時迄使用可能で、電池パックの寿命時には一体化となっているため容易に電池パックを交換できる。【０００８】長時間の停電の場合、携帯電話やスマートフォンの電池も放電状態になり使用出来なくなる。ラジオ本体に内蔵したマグネシウム−空気電池の電力を利用し、内蔵している二次電池への充電、又はＵＳＢコネクタを実装し、本コネクタよりマグネシウム−空気電池で発電した電力や、二次電池に充電した電力で携帯電話やスマートフォンを接続し充電を行う事も可能にした。
【考案の効果】
【０００９】マグネシウム−空気電池はマグネシウムと大気中の酸素、水の化学反応で発電をする事は周知の事実である。この特性から電池本体に水を与えなければ電池寿命も１０年程度と長期間の保存も可能で、いつ来るか解らない災害用の電池としては最適で、災害時水を供給する事で自己発電し、緊急時の放送を受信することで情報を得られる。【００１０】災害時などではラジオを外に持ち出す事があり、周囲に水が無くとも水パックを有しているためいつでもどこでも情報を得ることが可能である。
【図面の簡単な説明】
【００１１】
【図１】ラジオ全体の外観
【図２】マグネシウム−空気電池パック容器
【図３】マグネシウム−空気電池パックの実装図
【考案を実施するための形態】
【００１２】以下、本考案の実施の形態を図１から３に基づき説明する。
【実施例】
【００１３】図１はラジオの外観図で１はラジオ本体、２はマグネシウム−空気電池パック収容部蓋、３は受信アンテナ、４は電源スイッチ、５は放送受信の選局スイッチ、６はスピーカー、７は音量スイッチ、８は災害等緊急放送を受信すると表示するランプ、９はスマートフォンや携帯電話の充電用ＵＳＢ端子。【００１４】図２はマグネシウム−空気電池パックの構造図である。１０はマグネシウム−空気電池パック本体で水漏れにてラジオ本体が故障しないように簡易防水構造になっている。１１はマグネシウム−空気電池の発電セル、１２は水の入った一個以上を有する水パック、１３は水パックの収容台で電池セル側は水が電池セルに入りやすい様に網状の形態になっている、１４、１５は電力出力の電極端子、１６は水パックを破水するための突起棒、１７は突起棒を差し込む穴と発電時に発生する水素ガスのガス抜きの穴である。【００１５】マグネシウム−空気電池セルは、発電を持続すると水分が蒸発し発電能力が低下する。再度水を供給すると再度発電をするという特徴を有している。
このため水袋を複数個保有し、発電能力が低下した場合再度水を供給する事で発電を再開する。
用途により順次水パックを破水させながら自己発電させることにより長時間ラジオを動作させることが可能になる。
水の供給は、突起を有する針状の物１６で水袋に穴を空け供給する。【００１６】図３はマグネシウム−空気電池パックをラジオ本体へ組み込む図である。
２は電池収容蓋、１はラジオ本体、１８はマグネシウム−空気電池パック収容ケースで、ラジオ本体の蓋２を開け内部へ収容する。
【産業上の利用可能性】
【００１７】コミュニティーＦＭでの防災告知受信機、公共防災受信機に応用される。
【符号の説明】
【００１８】  １は防災告知受信機本体
２はマグネシウム−空気電池パック収容部の蓋
３は受信アンテナ
４は電源スイッチ
５は選局スイッチ
６はスピーカー
７は音量スイッチ
８は緊急放送受信ランプ
９はＵＳＢ端子
１０はマグネシウム−空気電池パック本体
１１はマグネシウム−空気電池発電セル
１２は水容器
１３は水容器収容台
１４はプラス電極
１５はマイナス電極
１６は水容器破水用突起棒
１７は水容器破水兼ガス抜き穴
１８はマグネシウム−空気電池パック収容部
【図１】
0003206520.tif 000003
【図２】
0003206520.tif 000004
【図３】
0003206520.tif 000005